(57)【要約】【課題】屋根としての一体感が損なわれ難い、軒先構造を提供する。【解決手段】軒先構造は、屋根材１２と、屋根材１２の軒先に取付けられる固定部材１６と、固定部材１６の棟側に固定され屋根材１２の上方に配置される平板状の機能パネル１４と、を備える。また、軒先構造は、屋根材１２と機能パネル１４との間に形成され雨水が流れる通水空間１５と、固定部材１６の軒側に固定される軒先カバー４と、を備える。軒先カバー４は、固定部材１６に固定され上面が機能パネル１４の上面と面一に設けられる固定部４１と、固定部４１から下側に突出し屋根材１２及び通水空間１５の軒先端部を遮蔽する遮蔽部４２と、を有することを特徴とする。【選択図】図１
2016113776.tif 000002
【特許請求の範囲】
【請求項１】
屋根材と、
前記屋根材の軒先に取付けられる固定部材と、
前記固定部材の棟側に固定され前記屋根材の上方に配置される平板状の機能パネルと、
前記屋根材と前記機能パネルとの間に形成され雨水が流れる通水空間と、
前記固定部材の軒側に固定される軒先カバーと、を備え、
前記軒先カバーは、前記固定部材に固定され上面が前記機能パネルの上面と面一に設けられる固定部と、前記固定部から下側に突出し前記屋根材及び前記通水空間の軒先端部を遮蔽する遮蔽部と、を有することを特徴とする軒先構造。
【請求項２】
前記遮蔽部の裏面は、前記屋根材に沿って前記通水空間内を流れ、前記屋根材の軒先から飛び出た雨水が当たり軒樋へと流下させるガイド面となることを特徴とする請求項１に記載の軒先構造。
【発明の詳細な説明】
【技術分野】
【０００１】
本発明は、軒先構造に関する。より詳細には、機能パネルが設置された屋根の軒先構造に関する。
【背景技術】
【０００２】
従来の屋根の軒先構造は、屋根材と、屋根材に取付けられる固定部材と、屋根材の上方に配置され固定部材に固定される機能パネルと、軒先に配置された固定部材に固定される軒先カバーと、を備えていた（例えば特許文献１参照）。
【先行技術文献】
【特許文献】
【０００３】
【特許文献１】特開２００４−３２４１８１号公報
【発明の概要】
【発明が解決しようとする課題】
【０００４】
しかし、特許文献１に記載されている軒先カバーでは、軒先カバーの上面と機能パネルとの上面とが面一ではない。そのため、屋根としての一体感が損なわれてしまっていた。
【０００５】
本発明は上記従来の問題点に鑑みて発明したものであって、その目的とするところは、屋根としての一体感が損なわれ難い、軒先構造を課題とするものである。
【課題を解決するための手段】
【０００６】
上記課題を解決するために、本発明は、以下のような構成とする。
【０００７】
屋根材と、前記屋根材の軒先に取付けられる固定部材と、前記固定部材の棟側に固定され前記屋根材の上方に配置される平板状の機能パネルと、前記屋根材と前記機能パネルとの間に形成され雨水が流れる通水空間と、前記固定部材の軒側に固定される軒先カバーと、を備え、前記軒先カバーは、前記固定部材に固定され上面が前記機能パネルの上面と面一に設けられる固定部と、前記固定部から下側に突出し前記屋根材及び前記通水空間の軒先端部を遮蔽する遮蔽部と、を有することを特徴とする。
【発明の効果】
【０００８】
本発明の軒先構造では、軒先カバーが屋根材及び通水空間の軒先端部を遮蔽するだけでなく、軒先カバーと機能パネルの上面が面一に設けられる。従って、屋根としての一体感が損なわれ難い。
【図面の簡単な説明】
【０００９】
【図１】図１Ａは本実施形態の軒先構造を側方から視た断面図であり、図１Ｂは本実施形態の図１Ａに示すＡ−Ａ断面図である。
【図２】図２Ａは固定部材を凹凸屋根材に取付けたときの正面図であり、図２Ｂは固定部材を凹凸屋根材に取付けたときの側面図である。
【図３】図３Ａは図２ＡのＢ−Ｂ断面図であり、図３Ｂは受け部に可動部を取付けたときの拡大断面図である。
【図４】図４Ａは固定部材に軒先カバーとクリップ部材を載置するときの斜視図であり、図４Ｂは軒先カバーの螺子部に押え金具及び固定ナットを取付けるときの拡大斜視図であり、図４Ｃは押え金具で軒先カバーの掛止部及びクリップ部材の掛止部を固定したときの拡大斜視図である。
【発明を実施するための形態】
【００１０】
以下、本発明を添付図面に示す実施形態に基いて説明する。
【００１１】
屋根１は、図１Ａ，図１Ｂに示すように、屋根下地１１と屋根材１２とを備える。本実施形態の屋根材１２には、凹凸屋根材１３が使用される。屋根下地１１は凹凸屋根材１３の下地となり、野地板、垂木、母屋等により構成される。
【００１２】
凹凸屋根材１３は、金属製の屋根材であり、屋根下地１１の上面に固定される。凹凸屋根材１３では、凹部１３ａと凸部１３ｂとが軒方向に交互に形成される。凹凸屋根材１３は、金属板がプレス機やロール成形機により曲げ加工されることで形成される。
【００１３】
屋根１では、凹凸屋根材１３の上方に機能パネル１４が配置される。機能パネル１４は、例えば太陽光による発電を担う太陽光モジュール、太陽熱温水パネル等の特定の機能を有する。その機能パネル１４を凹凸屋根材１３に固定するために、本実施形態では、複数の固定部材１６が着脱自在に凹凸屋根材１３の凸部１３ｂに取付けられる。
【００１４】
本実施形態では、固定部材１６の中でも特に軒先に配置される固定部材１６について記載する。軒先に配置される固定部材１６は、図１Ａ，図１Ｂに示すように、凹凸屋根材１３に取付けられるベース部材２０と、ベース部材２０の棟側に固定され機能パネル１４の軒先側の端部が取付けられるクリップ部材３０と、を有する。また、固定部材１６の軒先側には、軒先カバー４の棟側の端部が固定される。
【００１５】
ベース部材２０は、本実施形態では、図１Ｂ，図２Ａに示すように、凸部１３ｂを挟み込むことにより固定されるが、軒方向に隣接する凹凸屋根材１３を連結する連結部材を挟み込んで固定されてもよい。ベース部材２０は、凸部１３ｂの側壁部に当接させておく受け部２１と、軒方向に移動可能な状態で受け部２１に取付けられる可動部２２と、を有する。
【００１６】
可動部２２の底壁部は、凸部１３ｂの可動部２２側の側壁部を押圧する押圧部２２ａとなる。また、受け部２１の底壁部は凸部１３ｂの可動部２２とは反対側の側壁部に当接し押圧部２２ａの押圧力を受ける押圧受け部２１ａとなる。押圧部２２ａは、可動部２２の側壁部の下端から押圧受け部２１ａに向かって突出して設けられる。押圧受け部２１ａは、受け部２１の側壁部の下端から押圧部２２ａに向かって突出して設けられる。
【００１７】
押圧部２２ａは可動部２２の軒方向の移動に合わせて、押圧受け部２１ａに近付く方向（以下、第一の方向Ｄ１とする）に移動し、押圧受け部２１ａから離れる方向（以下、第二の方向Ｄ２とする）に移動する。可動部２２が第一の方向Ｄ１に移動すると、押圧部２２ａと押圧受け部２１ａとの間は狭くなり、押圧部２２ａと押圧受け部２１ａとで凸部１３ｂが挟持される。可動部２２が第二の方向Ｄ２に移動すると、押圧部２２ａと押圧受け部２１ａとの間は広くなり、押圧部２２ａと押圧受け部２１ａとでの凸部１３ｂの挟持が解除される。
【００１８】
受け部２１は、図２Ａ，図２Ｂに示すように、第一の方向Ｄ１の側壁部の上端から第二の方向Ｄ２に向かって段部を有する。また、受け部２１は、その段部の第二の方向Ｄ２側の端部から正面視逆Ｕ字状に設けられ、クリップ部材３０及び軒先カバー４が載置される載置部２３を有する。
【００１９】
載置部２３の上壁部には、螺子部２３ａが上方に突出して設けられる。螺子部２３ａには、側面視Ｕ字状の押え金具２４が挿入される。押え金具２４は、上端部の軒先側端から下方に突出した軒側押え部２４ｂと、上端部の棟側端から下方に突出した棟側押え部２４ａと、を有する。
【００２０】
螺子部２３ａには、押え金具２４を固定するために固定ナット２５が締結される。これにより、押え金具２４が凹凸屋根材１３に固定される。
【００２１】
載置部２３の上壁部の軒先側の端部には、図２Ｂに示すように、棟から軒に向かう方向に突出し凸部１３ｂの上壁部と当接する軒側当接部２６が設けられる。載置部２３の上壁部の棟側の端部には、軒から棟に向かう方向に突出し凸部１３ｂの上壁部と当接する棟側当接部２７が設けられる。
【００２２】
受け部２１は、図２Ａ，図３Ｂに示すように、載置部２３の第二の方向Ｄ２側の側壁部の下端部から延出され、可動部２２が取付けられる延出部２８を有する。
【００２３】
ここで、可動部２２が軒方向に一定の範囲内を動く、その構造を例示する。
【００２４】
延出部２８は、図３Ｂに示すように、載置部２３から第二の方向Ｄ２側に向かって上壁部が設けられ、上壁部から下方に向かって側壁部が設けられる。
【００２５】
可動部２２は、図３Ｂに示すように、第一の方向Ｄ１に向かって開口している。可動部２２には、図３Ａに示すように、その軒棟方向に対向する側壁における棟側の側壁には、その内面の上端部から突出する突出片２２ｂが設けられる。また、可動部２２の軒棟方向に対向する側壁における軒側の側壁には、その内面の上端部に棟方向に突出する突出片２２ｃが設けられる。
【００２６】
可動部２２の上壁部及び突出片２２ｂ，２２ｃの間には、延出部２８の上壁部が挿入され、可動部２２は延出部２８の上壁部をガイドとして軒方向に移動できる。可動部２２は、図３Ｂに示すように、第一の方向Ｄ１において、その上壁の先端が載置部２３の側壁部に当たるまで、移動できる。さらに、可動部２２は、第二の方向Ｄ２において、その突出片２２ｂ，２２ｃが延出部２８の側壁部に当たるまで、移動できる。
【００２７】
このようにして、可動部２２は軒方向に一定の範囲内を動かすことが考えられる。
【００２８】
そして、以下に挟持状態を保持する、その構造について例示する。
【００２９】
可動部２２の第二の方向Ｄ２の側壁部及び延出部２８の側壁部には、図３Ｂに示すように、調節ボルト２８ａが貫通する。調節ボルト２８ａは、延出部２８の側壁部に周方向に回転しないように固定される。その調節ボルト２８ａには規制ナット２８ｂが螺合される。
【００３０】
調節ボルト２８ａと規制ナット２８ｂにより、可動部２２の押圧部２２ａと受け部２１の押圧受け部２１ａとが凸部１３ｂを挟持したとき、規制ナット２８ｂを可動部２２に当接させ、締結することで、その挟持状態を保持できる。また、規制ナット２８ｂを緩めることで、挟持状態を解除することができる。
【００３１】
クリップ部材３０は、図１Ａに示すように、棟側押え部２４ａと載置部２３により挟み込まれる掛止部３１と、掛止部３１の棟側の端部から連設され機能パネル１４を支持する支持部３２と、を有する。また、クリップ部材３０は、支持部３２の上端部の軒先側端から上方に突出し機能パネル１４の軒先側端部を受ける受け止め部３３を有する。
【００３２】
掛止部３１は、図１Ａに示すように、支持部３２の軒先側の下端から軒先側に向かって突出して設けられ、側面視Ｌ字状となっている。掛止部３１の底片が載置部２３に載置され、棟側押え部２４ａと載置部２３により挟み込まれる。掛止部３１の底片の軒先端から上方に側片が突出して設けられる。側片が設けられることにより、クリップ部材３０を固定した後、クリップ部材３０を棟側に引いたとしても、側片が棟側押え部２４ａに当たるため、クリップ部材３０の抜け止めをすることができる。
【００３３】
支持部３２は、図１Ａに示すように、側面視矩形状となっている。支持部３２の上壁部に機能パネル１４の軒先側端部が載置され、支持部３２は機能パネル１４の荷重を支持する。
【００３４】
受け止め部３３は、図１Ａに示すように、側面視Ｌ字状となっている。受け止め部３３には、支持部の上壁部の軒先端部から上方向に側片が設けられ、側片の上端部から棟方向に上片が設けられる。
【００３５】
受け止め部３３の側片には、機能パネル１４の軒先側先端が当たる。そのため、受け止め部３３の側片は、機能パネル１４が凹凸屋根材１３の傾斜方向に沿って移動しないように、機能パネル１４を受ける。
【００３６】
受け止め部３３の上片には、機能パネル１４の軒先側端部の上面が当たる。そして、受け止め部３３の上片は、機能パネル１４が凹凸屋根材１３の上方向に移動しないように、機能パネル１４を押える。
【００３７】
機能パネル１４はクリップ部材３０に取付けられるので、本実施形態では、図１Ａに示すように、凹凸屋根材１３の凸部１３ｂの上端よりも、クリップ部材３０の支持部３２の高さ分だけ上方に位置することになる。そのため、凸部１３ｂと機能パネル１４との間に空間が形成される。すなわち、クリップ部材３０に取付けられた機能パネル１４と凹凸屋根材１３との間には、前記空間及び凹部１３ａと機能パネル１４との間の空間を合わせた通水空間１５が形成される。通水空間１５には、凹凸屋根材１３を伝う雨水が流れる。
【００３８】
軒先カバー４は、本実施形態では、図１Ａに示すように、側面視略矩形状となっており、金属の板を曲げ加工することにより形成されるが、形状や製造方法は限定されない。軒先カバー４は、固定部材１６に固定され上面が機能パネル１４の上面と面一に設けられる固定部４１と、固定部４１から下側に突出し凹凸屋根材１３及び通水空間１５の軒先端部を遮蔽する遮蔽部４２と、を有する。ここで、面一とは、機能パネル１４の上面と固定部４１の上面との間に、段差が全くない状態を示すのではなく、屋根１としての外観を損なわない程度の段差がある状態も許容するものである。
【００３９】
固定部４１は、軒先カバー４の棟側の部分である。固定部４１は、押え金具２４の軒側押え部２４ｂと載置部２３とで挟み込まれる掛止部４１ａと、掛止部４１ａの軒先側端から連設され上面が機能パネル１４の上面と面一になる化粧部４１ｂと、を有する。
【００４０】
掛止部４１ａは、図１Ａに示すように、化粧部４１ｂの棟側の下端から棟側に向かって突出して設けられ、側面視Ｌ字状となっている。掛止部４１ａの底片が載置部２３に載置され、軒側押え部２４ｂと載置部２３により挟み込まれる。掛止部４１ａの底片の棟側端から上方に側片が突出して設けられる。側片が設けられることにより、軒先カバー４を固定した後、軒先カバー４を軒先側に引いたとしても、側片が軒側押え部２４ｂに当たるため、軒先カバー４の抜け止めをすることができる。
【００４１】
化粧部４１ｂは、図１Ａに示すように、側面視Ｕ字状となっている。化粧部４１ｂでは、底壁部の棟側端部が載置部２３に載置され、底壁部の棟側端から上方に向かって側壁部が設けられ、側壁部の上端から軒先側に向かって上壁部が設けられる。ここで、化粧部４１ｂの上壁部と機能パネル１４とは面一に設けられる。
【００４２】
化粧部４１ｂの上壁部と機能パネル１４とを面一に設けるために、本実施形態では、軒記構造は以下に記載する構造としている。
【００４３】
化粧部４１ｂにおいて、側壁部の載置部２３からの高さはクリップ部材３０の載置部２３からの高さと等しくなるように設けられる。
【００４４】
固定部材１６に固定された機能パネル１４は、凹凸屋根材１３の傾斜方向と平行になるように、水平方向から傾斜して設置される。化粧部４１ｂにおいて、化粧部４１ｂの上壁部の水平方向からの傾斜角度は、機能パネル１４の傾斜角度と同じ傾斜角度となるように設けられる。
【００４５】
このようにして、本実施形態では、化粧部４１ｂの上壁部と機能パネル１４とは面一に設けられる。
【００４６】
遮蔽部４２は、軒先カバー４の軒先側の部分である。遮蔽部４２は、図１Ａに示すように、側面視Ｕ字状となっている。遮蔽部４２では、上壁部が固定部４１の上壁部の軒先側端から下方に行く程軒先側に位置するように傾斜して設けられる。このとき、遮蔽部４２の上壁部の傾斜角度は、化粧部４１ｂの上壁部の傾斜角度より大きくなる。
【００４７】
また、遮蔽部４２では、下壁部が固定部４１の底壁部の軒先側端から下方に行く程軒先側に位置するように傾斜して設けられる。このとき、遮蔽部４２の下壁部の傾斜角度は、化粧部４１ｂの底壁部の傾斜角度より大きくなる。
【００４８】
遮蔽部４２では、側壁部が上壁部及び下壁部の軒先側端同士を繋いで設けられる。
【００４９】
遮蔽部４２の上壁部及び下壁部は、本実施形態では、上記したように傾斜して設けられる。そして、本実施形態の下壁部の裏面は、図１Ａに示すように、凹凸屋根材１３の傾斜に沿って通水空間１５を流れ、凹凸屋根材１３の軒先から飛び出た雨水が当たり軒樋へと流下させるガイド面４２ａとなる。なお、ガイド面４２ａは、傾斜ではなく円弧状に設けてもよく、ガイド面４２ａの形状は限定されない。このガイド面４２ａにより、凹凸屋根材１３を流下した雨水が、軒樋に入らず地面に落下してしまうことを防止できる。
【００５０】
以下に軒先カバー４及びクリップ部材３０を凹凸屋根材１３に取付ける、その方法について記載する。
【００５１】
作業者は、図４Ａに示すように、凹凸屋根材１３の凸部１３ｂにおける軒先端部に固定部材１６を設置する。作業者は、軒先カバー４を固定部材１６の載置部２３の軒先側に載置させ、クリップ部材３０を固定部材１６の載置部２３の棟側に載置させる。作業者は、図４Ｂに示すように、押え金具２４を螺子部２３ａに挿入し、螺子部２３ａに固定ナット２５を取付ける。そして、作業者は、図４Ｃに示すように、軒先カバー４の掛止部４１ａの下片に軒側押え部２４ｂを当接させ、クリップ部材３０の掛止部３１の下片に棟側押え部２４ａを当接させる。作業者は、螺子部２３ａに固定ナット２５を螺合し、固定ナット２５と押え金具２４とを締結させる。以上の作業で、固定部材１６に軒先カバー４とクリップ部材３０が固定される。
【００５２】
上記した構成の軒先構造では、軒先カバー４が屋根材１２及び通水空間１５の軒先端部を遮蔽するだけでなく、軒先カバー４と機能パネル１４の上面が面一に設けられるので、屋根としての一体感が損なわれ難い。
【００５３】
本実施形態の軒先構造は、以下に記載する構成を備える。
【００５４】
軒先構造は、屋根材１２と、屋根材１２の軒先に取付けられる固定部材１６と、固定部材１６の棟側に固定され屋根材１２の上方に配置される平板状の機能パネル１４と、を備える。また、軒先構造は、屋根材１２と機能パネル１４との間に形成され雨水が流れる通水空間１５と、固定部材１６の軒側に固定される軒先カバー４と、を備える。軒先カバー４は、固定部材１６に固定され上面が機能パネル１４の上面と面一に設けられる固定部４１と、固定部４１から下側に突出し屋根材１２及び通水空間１５の軒先端部を遮蔽する遮蔽部４２と、を有することを特徴とする。
【００５５】
これにより、屋根１としての一体感が損なわれ難い。
【００５６】
また、遮蔽部４２の裏面は、屋根材１２の傾斜に沿って通水空間１５を流れ、屋根材１２の軒先から飛び出た雨水が当たり軒樋へと流下させるガイド面４２ａとなることが好ましい。
【００５７】
これにより、屋根材１２を流下した雨水が、地面に落下し難くなる。
【符号の説明】
【００５８】
１    屋根
１２  屋根材
１３  凹凸屋根材
１４  機能パネル
１５  通水空間
１６  固定部材
２０  ベース部材
３０  クリップ部材
４    軒先カバー
４１  固定部
４２  遮蔽部
【図１】
2016113776.tif 000003
【図２】
2016113776.tif 000004
【図３】
2016113776.tif 000005
【図４】
2016113776.tif 000006